(57)【特許請求の範囲】
【請求項１】
電池（４）の±極に別々に接触して電気接続される一対の電極端子（１７）と、この電極端子（１７）に電気接続されるプリント基板（７）と、プリント基板（７）を内蔵するケースとを備える電気機器において、下記の全ての構成を有することを特徴とする携帯用の電気機器。
（ａ）  ケースは、２分割して別々に成形された、第１のケース（１Ａ）と第２のケース（１Ｂ）とからなる。
（ｂ）  第１のケース（１Ａ）と第２のケース（１Ｂ）は周壁（１８）を有し、周壁（１８）を連結して閉塞構造となっている。
（ｃ）  第１のケース（１Ａ）に電極端子（１７）とプリント基板（７）が装着され、第２のケース（１Ｂ）で第１のケース（１Ａ）の開口部を閉塞している。
（ｄ）  電極端子（１７）は、金属板を折曲して製作されている。
（ｅ）  電極端子（１７）は、第１のケース（１Ａ）の周壁（１８）に嵌着して固定されている。
（ｆ）  電極端子（１７）は、第１のケース（１Ａ）の周壁（１８）の外側面に配設される電池（４）の±の電極に接触される接触プレート（１７Ａ）と、第１のケース（１Ａ）の周壁（１８）の内側面に配設される係止片（１７Ｂ）と、プリント基板（７）に連結される連結片（１７Ｃ）とを有する。
（ｇ）  係止片（１７Ｂ）は、接触プレート（１７Ａ）の両側に配設されており、接触プレート（１７Ａ）と係止片（１７Ｂ）で第１のケース（１Ａ）の周壁（１８）を挟着して、電極端子（１７）を長手方向に移動しないように第１のケース（１Ａ）の周壁（１８）に嵌着している。
（ｈ）  連結片（１７Ｃ）は、接触プレート（１７Ａ）に対して直角に連結されており、この連結片（１７Ｃ）は、一端をプリント基板（７）に連結している。
（ｉ）  第１のケース（１Ａ）の周壁（１８）に、電極端子（１７）の連結片（１７Ｃ）を嵌入する嵌入溝（１９）を設けている。
（ｊ）  電極端子（１７）の連結片（１７Ｃ）は、周壁（１８）の嵌入溝（１９）に嵌入されて、周壁（１８）の内部に引き出されると共に、電極端子（１７）を横方向に移動しないように第１のケース（１Ａ）に装着している。
（ｋ）  第１のケース（１Ａ）の定位置に装着された電極端子（１７）を介して、プリント基板（７）が第１のケース（１Ａ）の定位置に配設されている。
【請求項２】
第１のケース（１Ａ）の周壁（１８）に凹部（２０）が設けられると共に、この凹部（２０）に挿入される凸部（１８Ａ）が第２のケース（１Ｂ）の周壁（１８）に設けられており、凹部（２０）に凸部（１８Ａ）を挿入する周壁部分の外側に電極端子（１７）の接触プレート（１７Ａ）を配設しており、さらに、凹部（２０）と凸部（１８Ａ）の隙間に、電極端子（１７）の接触プレート（１７Ａ）と係止片（１７Ｂ）とを連結する連結部が挿入されて、電極端子（１７）がケースの定位置に配設されてなる請求項１に記載される携帯用の電気機器。
【請求項３】
ケースが、電池（４）内蔵する電源ケース（１２）と、この電源ケース（１２）に脱着自在に連結される機器ケース（１）とに分割されており、プリント基板（７）と電極端子（１７）が機器ケース（１）に装着されている請求項１に記載される携帯用の電気機器。
【発明の詳細な説明】
【０００１】
【発明の属する技術分野】
本発明は、電池を電源に使用する携帯用の電気機器に関する。
【０００２】
【従来の技術】
電池を内蔵する携帯用の電気機器は、電池の±の電極に電極端子を接触させて、電池から電力を取り出す。電極端子は、リード線を介して、ケースに内蔵されるプリント基板に接続されて、プリント基板の電子回路に電力を供給する。この構造の携帯用の電気機器は、電極端子を電池の±の電極に確実に接触させるために、ケースの決められた位置に正確に固定することが大切である。電極端子を固定する位置がずれることは、電池との接触不良の原因となる。さらに、プリント基板も、ケース内の定位置に配設する必要がある。このことを実現するために、従来の携帯用の電気機器は、電極端子とプリント基板とを別々にケース内の決められた位置に固定し、電極端子とプリント基板とをリード線で接続していた。
【０００３】
【発明が解決しようとする課題】
電極端子とプリント基板を別々にケース内に配設して、リード線で接続する電気機器は、電極端子とプリント基板とをリード線で接続した後、両者をケースの定位置に装着するので、組み立てに手間がかかる欠点がある。とくに、電極端子とプリント基板を短いリード線で接続しているので、電極端子とプリント基板を自由な姿勢でケースに装着できず、簡単かつ容易に、しかも能率よくケースに装着できない欠点があった。さらに、電極端子とプリント基板とをケースの定位置に装着するときに、リード線が強く引っ張られて、切れやすい欠点もあった。
【０００４】
さらに、電極端子とプリント基板とを別々にケースに固定するので、両者を正確に定位置に強固に固定するためには、電極端子とケースを複雑な形状に成形する必要があって、部品コストが高くなる等の欠点があった。
【０００５】
本発明は、このような欠点を解消することを目的に開発されたもので、電極端子とプリント基板をケースに独特の構造で装着することにより、前記の欠点を解消することに成功したものである。本発明の大切な目的は、電極端子とプリント基板の両方を、簡単かつ容易に、しかも能率よくケースの定位置に正確に固定できる携帯用の電気機器を提供することにある。
【０００６】
【課題を解決するための手段】
本発明の請求項１の携帯用の電気機器は、電池４の±極に別々に接触して電気接続される一対の電極端子１７と、この電極端子１７に電気接続されるプリント基板７と、プリント基板７を内蔵するケースとを備え、さらに、下記の独特の構成を有することを特徴とする。
（ａ）  ケースは、２分割して別々に成形された、第１のケース１Ａと第２のケース１Ｂとからなる。
（ｂ）  第１のケース１Ａと第２のケース１Ｂは周壁１８を有し、周壁１８を連結して閉塞構造となっている。
（ｃ）  第１のケース１Ａに電極端子１７とプリント基板７が装着され、第２のケース１Ｂで第１のケース１Ａの開口部を閉塞している。
（ｄ）  電極端子１７は、金属板を折曲して製作されている。
（ｅ）  電極端子１７は、第１のケース１Ａの周壁１８に嵌着して固定されている。
（ｆ）  電極端子１７は、第１のケース１Ａの周壁１８の外側面に配設される電池４の±の電極に接触される接触プレート１７Ａと、第１のケース１Ａの周壁１８の内側面に配設される係止片１７Ｂと、プリント基板７に連結される連結片１７Ｃとを有する。
（ｇ）  係止片１７Ｂは、接触プレート１７Ａの両側に配設されており、接触プレート１７Ａと係止片１７Ｂで第１のケース１Ａの周壁１８を挟着して、電極端子１７を長手方向に移動しないように第１のケース１Ａの周壁１８に嵌着している。
（ｈ）  連結片１７Ｃは、接触プレート１７Ａに対して直角に連結されており、この連結片１７Ｃは、一端をプリント基板７に連結している。
（ｉ）  第１のケース１Ａの周壁１８に、電極端子１７の連結片１７Ｃを嵌入する嵌入溝１９を設けている。
（ｊ）  電極端子１７の連結片１７Ｃは、周壁１８の嵌入溝１９に嵌入されて、周壁１８の内部に引き出されると共に、電極端子１７を横方向に移動しないように第１のケース１Ａに装着している。
（ｋ）  第１のケース１Ａの定位置に装着された電極端子１７を介して、プリント基板７が第１のケース１Ａの定位置に配設されている。
【０００７】
本発明の請求項２の携帯用の電気機器は、電極端子１７で、プリント基板７の連結片１７Ｃの長手方向の位置ずれを阻止し、第１のケース１Ａの周壁１８で、プリント基板７の両側を挟着して、連結片１７Ｃの横方向の位置ずれを阻止して、プリント基板７を第１のケース１Ａの定位置に配設している。
【０００８】
さらに、本発明の請求項３の携帯用の電気機器は、ケースを、電池４を内蔵している電源ケース１２と、この電源ケース１２に脱着自在に連結される機器ケース１とに分割している。プリント基板７と電極端子１７は機器ケース１に装着している。
【０００９】
【発明の実施の形態】
以下、本発明の実施例を図面に基づいて説明する。ただし、以下に示す実施例は、本発明の技術思想を具体化するための携帯用の電気機器を例示するものであって、本発明は電気機器を下記のものに特定しない。
【００１０】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１１】
図１ないし図４に示す携帯用の電気機器は、ヒータ３でむだ毛を焼き切る体毛処理具である。ただ、本発明は携帯用の電気機器を体毛処理具に特定しない。携帯用の電気機器は、たとえば電気かみそりのように、電池を電源に使用する他の全ての電気機器とすることもできる。
【００１２】
図に示す電気機器は、ケースを、電池４を収納する電源ケース１２と、この電源ケース１２に脱着自在に連結される機器ケース１としている。さらに、機器ケース１は、先端にヒータカセット１１を脱着自在に装着している。
【００１３】
電源ケース１２は、内部に２本の円筒電池４を横に並べて挿入できる内形の筒状に成形されて、底面を閉塞している。図に示す電源ケース１２は、プラスチックで成形した内側ケース１２Ａを、アルミニウム製の外側ケース１２Ｂに隙間なく挿入している。内側ケース１２Ａの底面には、２本の電池４を直列に接続する接続端子１３を固定している。さらに、この電源ケース１２は、機器ケース１下端の挿入部１Ｃを脱着自在に挿入できる装着開口１２Ｃを上端に有する。装着開口１２Ｃには、挿入された機器ケース１の下端部を抜けないように引っかける弾性係止片１４を設けている。この弾性係止片１４は、プラスチック製の内側ケース１２Ａに設けられる。
【００１４】
弾性係止片１４は、図５に示す内側ケース１２Ａの正面図に示されている。この図は、外側ケース１２Ｂを除去した内側ケース１２Ａを示している。この図に示す弾性係止片１４は、右側と下側にスリット１５を設けると共に、外側表面を切除した形状として、他の部分よりも薄く成形して、弾性変形できるようにしている。さらに、弾性係止片１４には、機器ケース１の係止凸起１６を挿入する貫通孔１４Ａを開口している。貫通孔１４Ａは、係止凸起１６をほぼ隙間なく挿入できるように、係止凸起１６の外形にほぼ等しいが、これより多少は大きく開口されている。弾性係止片１４の内面は、内側ケース１２Ａの内面と同一平面に成形されている。
【００１５】
装着開口１２Ｃは、機器ケース１の挿入部１Ｃを軸方向に挿入して、多少回動して停止される。したがって、装着開口１２Ｃは、図６の平面図に示すように、機器ケース１の挿入部１Ｃを入れて少し回動できるように、右上と左下を薄く成形している。この装着開口１２Ｃには、鎖線で示す姿勢で、機器ケース１の挿入部１Ｃが軸方向に挿入される。挿入した状態で、図６の矢印で示す方向に機器ケース１を回動させると、弾性係止片１４が弾性変形して、係止凸起１６は弾性係止片１４の貫通孔１４Ａに案内される。この状態で、機器ケース１は抜けないように電源ケース１２に連結される。弾性係止片と係止凸起は、図示しないが、対向する位置にふたつ設けられて、機器ケースを確実に電源ケースに連結する。機器ケース１を電源ケース１２から引き抜くときは、図６の矢印と反対に機器ケース１を少し回転する。機器ケース１が回転されると、弾性係止片１４が弾性変形して、係止凸起１６が弾性係止片１４の貫通孔１４Ａから抜き出されて引っ掛け状態が解消される。したがって、機器ケース１は電源ケース１２から引き抜かれる。
【００１６】
機器ケース１は、図７の分解図に示すように、２分割して別々に成形された、第１のケース１Ａと第２のケース１Ｂとからなる。第１のケース１Ａと第２のケース１Ｂは、先端に櫛６が設けられ、この櫛６の間にヒータカセット１１を脱着自在に装着している。
【００１７】
第１のケース１Ａと第２のケース１Ｂは周壁１８を有し、周壁１８を連結して閉塞構造となる。第１のケース１Ａと第２のケース１Ｂが連結された機器ケース１は、電源ケース１２の挿着開口１２Ｃに挿入して連結できるように、下端を多少細い筒状に成形している。第１のケース１Ａと第２のケース１Ｂは、ネジ等を使用しないで、簡単に連結するために、図８に示すように、第１のケース１Ａの周壁１８に係止孔１８Ｄを、第２のケース１Ｂの周壁１８には、係止孔１８Ｄに入れられる突出部１Ｄを設けている。第１のケース１Ａの周壁１８は、係止孔１８Ｄを設けるために高く成形し、第２のケース１Ｂの周壁１８は、係止孔１８Ｄに挿入される突出部１Ｄを内側に突出して成形している。係止孔１８Ｄと突出部１Ｄは、両側の周壁１８にそれぞれ２組設けられ、合計４組の係止孔１８Ｄと突出部１Ｄとで、第１のケース１Ａと第２のケース１Ｂを連結している。
【００１８】
第１のケース１Ａには、電極端子１７とプリント基板７を装着しており、この第１のケース１Ａの開口部を第２のケース１Ｂで閉塞している。第１のケース１Ａは、図７に示すように、底の周壁１８に電極端子１７を嵌着して固定している。底の周壁１８は、電極端子１７を周壁１８の内側から外側に引き出す嵌入溝１９を設けている。嵌入溝１９は、図９の底面図に示されるように、一対の電極端子１７を嵌着するために、ふたつ設けられている。
【００１９】
図９に示す第１のケース１Ａの周壁１８は、嵌入溝１９の上方に凹部２０を設け、この凹部２０に挿入される凸部１８Ａを第２のケース１Ｂの周壁１８に設けている。凹部２０と凸部１８Ａは、その間に電極端子１７を入れることができる隙間を設けている。さらに、図に示す第１のケース１Ａは、凹部２０の内面に支柱１８Ｂを一体成形している。支柱１８Ｂは、第１のケース１Ｂの周壁１８の内面に位置して、第１のケース１Ａと第２のケース１Ｂの縦方向の位置ずれを阻止する。さらに、第２のケース１Ｂは、凸部１８Ａの間にフック１８Ｃを一体成形し、このフック１８Ｃを第１のケース１Ａの周壁１８の内面に引っかけて、第１のケース１Ａと第２のケース１Ｂとを連結すると共に、縦方向の位置ずれを阻止している。
【００２０】
さらに、第１のケース１Ａは、プリント基板７の両側を挟着して、横ずれなく固定するために、周壁１８の内側には、図８に示すように、リブ１Ｅを一体成形している。リブ１Ｅはプリント基板７を載せて定位置に支持する段差を設けている。第２のケース１Ｂは、プリント基板７の上面を押して、リブ１Ｅの定位置に支持するロッド１Ｆを一体成形している。プリント基板７は、第１のケース１Ａのリブ１Ｅの段差部と、第２のケース１Ｂのロッド１Ｆに挟着されて、定位置に保持される。
【００２１】
電極端子１７は、弾性的に変形できる薄い金属板を折曲して、図１０に示す形状に製作される。電池の±の電極に接触される電極端子１７は同じ形状である。この図の電極端子１７は、第１のケース１Ａの周壁１８の外側に配設されて、電池の±の電極に接触される接触プレート１７Ａと、ケースの周壁１８の内側に配設される係止片１７Ｂと、プリント基板７に連結される連結片１７Ｃとからなる。
【００２２】
係止片１７Ｂは、接触プレート１７Ａの両側に配設されており、接触プレート１７Ａと係止片１７Ｂで第１のケース１Ａの周壁１８を挟着して、電極端子１７を長手方向に移動しないように第１のケース１Ａの周壁１８に嵌着している。図に示す電極端子１７は、接触プレート１７Ａの上半分を両側に突出させ、突出部を直角に折曲して係止片１７Ｂを設けている。係止片１７Ｂと接触プレート１７Ａの間は、Ｚ字のように互いに逆方向に直角に折曲されている。係止片１７Ｂと接触プレート１７Ａの連結部は、電極端子１７を周壁１８に嵌着する状態で、第１のケース１Ａの凹部２０と第２のケース１Ｂの凸部１８Ａとの隙間に入れられる。
【００２３】
連結片１７Ｃは、接触プレート１７Ａに対して直角に連結されており、この連結片１７Ｃは、一端をプリント基板７に連結する。プリント基板７との連結部は、図１０に示すように、係止片１７Ｂと同じように、Ｚ字状で直角に折曲している。この形状の連結片１７Ｃは、図１１に示すように、プリント基板７のスリット７Ａに挿入されて、上面または下面を半田付してプリント基板７の定位置に固定できる。
【００２４】
この形状の電極端子１７は、連結片１７Ｃの後端をプリント基板７に連結した状態で、プリント基板７を第１のケース１Ａの定位置に装着するのと一緒に、図９の鎖線で示すように、接触プレート１７Ａの下半分を第１のケース１Ａの周壁１８の外側に、上半分を第２のケース１Ｂの周壁１８の凸部１８Ａの外側に位置させ、係止片１７Ｂを、第１のケース１Ａの周壁１８の内側で凹部２０の両側に位置させ、連結片１７Ｃを、第１のケース１Ａの周壁１８に設けた嵌入溝１９に嵌入して第１のケース１Ａの定位置に配設される。電極端子１７がケースの定位置に配設されるのと一緒に、プリント基板７もケース内の定位置に配設される。
【００２５】
プリント基板７は、ヒータ３に通電して加熱するスイッチ５用の接点２１と、ヒータ３の加熱時間を制限するタイマーを構成する電子回路部品が固定されている。
【００２６】
ヒータカセット１１は、プラスチック製のヒータケース２に、ヒータ３を内蔵している。ヒータカセット１１は、その両端を掴んで、ヒータ３に対して直交する方向に脱着できるように、両端部に両端ツマミ１１Ａを有する。両端ツマミ１１Ａは、ヒータカセット１１を本体に装着する状態で、櫛６の間から外部に表出している。図に示すヒータカセット１１は、脱着するときの滑りを防止するために、両端ツマミ１１Ａの表面に４列の凸条１１Ｃを成形している。ヒータカセット１１は、櫛６の間に挿入して機器ケース１に装着されると、ヒータ端子１０がプリント基板７に固定される接続端子８に電気的に接続されて、ヒータ３に通電できる状態となる。
【００２７】
以上の実施例は、機器ケースに、むだ毛をヒータで焼き切るパーツを内蔵させている。機器ケースには、たとえば、挿入部の形状を同じとする電気かみそり用のパーツを内蔵させることもできる。
【００２８】
【発明の効果】
本発明の携帯用の電気機器は、電極端子とプリント基板をケースに独特の構造で装着して、電極端子とプリント基板の両方を、簡単かつ容易に、しかも能率よくケースの定位置に正確に固定できる特長がある。とくに、本発明の電気機器は、金属板を折曲してなる電極端子を介して、プリント基板をケースの定位置に装着するので、プリント基板やケースの寸法誤差を、金属板である電極端子の変形で吸収して、これ等のを定位置に正確に装着できる特長もある。
【００２９】
さらに、本発明の請求項２の携帯用の電気機器は、第１のケースと第２のケースの周壁に、凹部と、この凹部に挿入される凸部とを設け、この凹部に凸部を挿入する部分の外側に電極端子の接触プレートを配設し、さらに、この凹部と凸部の隙間に電極端子を挿入しているので、接触プレートが確実に周壁に支持されると共に、電極端子をより確実に定位置に配設できる特長がある。
【００３０】
さらにまた、本発明の請求項３の携帯用の電気機器は、ケースを、電源ケースと、この電源ケースに脱着自在に装着される機器ケースとに分離し、機器ケースにプリント基板を内蔵させると共に、その周壁に電極端子を固定しているので、単一の電源ケースに、種々の機能の機器ケースを脱着自在に連結して種々の用途に便利に使用できる特長がある。
【図面の簡単な説明】
【図１】本発明の実施例の携帯用の電気機器の正面図
【図２】図１に示す携帯用の電気機器の側面図
【図３】図１に示す携帯用の電気機器の平面図
【図４】図１に示す携帯用の電気機器の機器ケースを開いた状態を示す正面図
【図５】本発明の実施例にかかる携帯用の電気機器の内側ケースの正面図
【図６】本発明の実施例にかかる携帯用の電気機器の電源ケースの平面図
【図７】図１に示す携帯用の電気機器の機器ケースの分解正面図
【図８】図１に示す携帯用の電気機器の機器ケースの断面図
【図９】図１に示す携帯用の電気機器の機器ケースの分解底面図
【図１０】本発明の実施例にかかる携帯用の電気機器の電極端子の斜視図
【図１１】電極端子とプリント基板の連結部分を示す拡大断面図
【符号の説明】
１…機器ケース          １Ａ…第１のケース      １Ｂ…第２のケース
１Ｃ…挿入部            １Ｄ…突出部
１Ｅ…リブ              １Ｆ…ロッド
２…ヒータケース
３…ヒータ
４…電池
５…スイッチ
６…櫛
７…プリント基板        ７Ａ…スリット
８…接続端子
１０…ヒータ端子
１１…ヒータカセット    １１Ａ…両端ツマミ      １１Ｃ…凸条
１２…電源ケース        １２Ａ…内側ケース      １２Ｂ…外側ケース
１２Ｃ…装着開口
１３…接続端子
１４…弾性係止片        １４Ａ…貫通孔
１５…スリット
１６…係止凸起
１７…電極端子          １７Ａ…接触プレート    １７Ｂ…係止片
１７Ｃ…連結片
１８…周壁              １８Ａ…凸部            １８Ｂ…支柱
１８Ｃ…フック          １８Ｄ…係止孔
１９…嵌入溝
２０…凹部
２１…接点
【図１】
0003583888.tif 000002
【図２】
0003583888.tif 000003
【図３】
0003583888.tif 000004
【図４】
0003583888.tif 000005
【図５】
0003583888.tif 000006
【図６】
0003583888.tif 000007
【図７】
0003583888.tif 000008
【図８】
0003583888.tif 000009
【図９】
0003583888.tif 000010
【図１０】
0003583888.tif 000011
【図１１】
0003583888.tif 000012